(57)【要約】【課題】測定される単色光の波長特性に応じて、ダブルモノクロ方式とシングルモノクロ方式とを自動で切り替え可能にする技術を提供する。【解決手段】分光器２００から出射される単色光２２の波長を測定開始波長から測定終了波長まで所定長ずつ変化させ、波長ごとに試料３０の吸光度を算出する制御部４００を有する分光光度計１０であって、制御部４００は、分光器２００の測定状態を吸光度が所定の閾値を超える場合はダブルモノクロ測定状態へ切り替え、吸光度が所定の閾値以下である場合はシングルモノクロ測定状態へ切り替える。【選択図】図１
2015099127.tif 000002
【特許請求の範囲】
【請求項１】
分光器から出射される単色光の波長を測定開始波長から測定終了波長まで所定長ずつ変化させ、前記波長ごとに試料の吸光度を算出する制御部を有する分光光度計であって、
前記制御部は、前記分光器の測定状態を前記吸光度が所定の閾値を超える場合はダブルモノクロ測定状態へ切り替え、前記吸光度が所定の閾値以下である場合はシングルモノクロ測定状態へ切り替える、分光光度計。
【請求項２】
請求項１に記載の分光光度計において、
前記ダブルモノクロ測定状態にて測定された前記吸光度が前記閾値を超える場合、または、前記シングルモノクロ測定状態にて測定された前記吸光度が前記閾値以下である場合に測定された前記波長と前記波長に対応する前記吸光度とを表示する表示部を有する、分光光度計。
【請求項３】
請求項１または２に記載の分光光度計において、
前記制御部は、測定した前記波長と前記波長を測定した時の前記測定状態を対応付けて記憶部に記憶する、分光光度計。
【請求項４】
請求項３に記載の分光光度計において、
前記制御部は、前記測定状態を切り替えた場合、測定した前記波長と切り替え後の前記測定状態とを対応付けて前記記憶部に記憶する、分光光度計。
【請求項５】
請求項１〜４のいずれか一項に記載の分光光度計において、
前記制御部は、前記測定状態を切り替えた場合、切り替え後の前記測定状態にて前回測定した前記波長の吸光度を再度算出する、分光光度計。
【請求項６】
請求項３または４に記載の分光光度計において、
前記制御部は、前記記憶部に記憶された前記波長と前記波長を測定した時の前記測定状態とを読み出し、読み出した前記波長ごとの前記測定状態に基づき、前記吸光度を算出する、分光光度計。
【請求項７】
請求項６に記載の分光光度計において、
前記制御部は、前記吸光度が前記閾値以下となった前記波長から前記吸光度が次に前記閾値を超えるまでの前記波長までの間隔が、ダブルモノクロ測定状態継続波長範囲内である場合、前記ダブルモノクロ測定状態から前記シングルモノクロ測定状態への切り替えが行われないように、読み出した前記測定状態を修正する、分光光度計。
【請求項８】
分光器から出射される単色光の波長を測定開始波長から測定終了波長まで所定長ずつ変化させ、前記波長ごとに試料の吸光度を算出する制御部を有する分析システムであって、
前記制御部は、前記分光器の測定状態を前記吸光度が所定の閾値を超える場合はダブルモノクロ測定状態へ切り替え、前記吸光度が所定の閾値以下である場合はシングルモノクロ測定状態へ切り替える、分析システム。
【請求項９】
分光器から出射される単色光の波長を測定開始波長から測定終了波長まで所定長ずつ変化させ、前記波長ごとに試料の吸光度を算出する分析方法であって、
制御部が、前記分光器の測定状態を前記吸光度が所定の閾値を超える場合はダブルモノクロ測定状態へ切り替え、前記吸光度が所定の閾値以下である場合はシングルモノクロ測定状態へ切り替える、分析方法。
【請求項１０】
請求項１に記載の分光光度計において、前記シングルモノクロ測定状態と前記ダブルモノクロ測定状態の切り替えに使用する閾値に迷光測定を行い取得された迷光値を使用する分光光度計。
【請求項１１】
分光器から出射される単色光の波長を測定開始波長から測定終了波長まで所定長ずつ変化させ、前記波長ごとに試料の吸光度を算出する制御部を有する分光光度計であって、ダブルモノクロ測定状態とシングルモノクロ測定状態それぞれで吸光度を取得し、吸光度に差がある波長範囲ではダブルモノクロ測定状態で試料測定を行い、吸光度に差がない波長範囲ではシングルモノクロ測定状態で試料測定を行なう分光光度計。
【請求項１２】
分光器から出射される単色光の波長を固定し、試料の吸光度を算出する制御部を有する分光光度計であって、ダブルモノクロ測定状態とシングルモノクロ測定状態それぞれで吸光度を取得し、吸光度に差がある場合はダブルモノクロ測定状態で試料測定を行い、吸光度に差がない場合はシングルモノクロ測定状態で試料測定を行なう分光光度計。
【発明の詳細な説明】
【技術分野】
【０００１】
本発明は、分光光度計および分析システムならびに分析方法に関する。
【背景技術】
【０００２】
回折格子を用いて白色光を単色光へ分光し、測定対象である試料に単色光を照射し、試料を透過してきた光から試料の吸光度や透過率を得ることで、試料の吸収スペクトルを分析する分光光度計が知られている。
【０００３】
これら分光光度計は、回折格子を用いて白色光を単色光へ１回分光するシングルモノクロ方式の分光光度計と、２回分光するダブルモノクロ方式の分光光度計とがある。
【０００４】
それぞれの方式には優位点と欠点がある。シングルモノクロ方式では、分光回数が１回であり分光されることによる光量の損失がダブルモノクロ方式に比べて小さい。そして、シングルモノクロ方式の優位点は、ダブルモノクロ方式よりも高いＳ／Ｎを得ることができることである。一方、シングルモノクロ方式では、分光回数が１回であるため、迷光がダブルモノクロ方式に比べて多い。そのため、シングルモノクロ方式では、ダブルモノクロ方式に比べてダイナミックレンジを広く確保することが難しい。
【０００５】
ダブルモノクロ方式は、分光回数が２回であり、シングルモノクロ方式に比べて迷光が少ない。そのため、ダブルモノクロ方式では、シングルモノクロ方式に比べてダイナミックレンジを広く確保できる。一方、ダブルモノクロ方式では、分光回数が２回であり分光されることによる光量の損失がシングルモノクロ方式に比べて大きい。そして、ダブルモノクロ方式の欠点は、シングルモノクロ方式よりも高いＳ／Ｎを得ることができないことである。
【０００６】
特開平５−７９９１１号公報（特許文献１）には、シングルモノクロ方式とダブルモノクロ方式とを切り替える技術が記載されている。具体的には、特許文献１には、「第１分光器に回折格子と回折格子と同曲率のミラーが設置された切換機構が設けられている。これにより回折格子を用いた場合はダブルモノクロ分光光度計、ミラーを用いた場合はシングロモノクロ分光光度計を実現することができる」と記載されている。
【先行技術文献】
【特許文献】
【０００７】
【特許文献１】特開平５−７９９１１号公報
【発明の概要】
【発明が解決しようとする課題】
【０００８】
ここで、試料を透過する単色光の波長を変化させることで、上述した吸収スペクトルは分析される。そして、測定される単色光の波長の波長特性によっては、ダイナミックレンジを広く確保しなければならないことがある。また、測定される単色光の波長の波長特性によっては、高いＳ／Ｎを得なければならないことがある。
【０００９】
特許文献1に記載された技術では、単色光の波長を変化させながら測定する場合において、測定される単色光の波長特性に応じてダブルモノクロ方式とシングルモノクロ方式とを自動で切り替えることができなかった。
【００１０】
本発明の目的は、測定される単色光の波長特性に応じて、ダブルモノクロ方式とシングルモノクロ方式とを自動で切り替え可能にする技術を提供することである。
【課題を解決するための手段】
【００１１】
本願において開示される発明のうち、代表的なものの概要を簡単に説明すれば、次の通りである。
【００１２】
本発明の一実施の形態は、分光器から出射される単色光の波長を測定開始波長から測定終了波長まで所定長ずつ変化させ、前記波長ごとに試料の吸光度を算出する制御部を有する分光光度計であって、前記制御部は、前記分光器の測定状態を前記吸光度が所定の閾値を超える場合はダブルモノクロ測定状態へ切り替え、前記吸光度が所定の閾値以下である場合はシングルモノクロ測定状態へ切り替える。
【００１３】
また、他の実施の形態では、分光器から出射される単色光の波長を測定開始波長から測定終了波長まで所定長ずつ変化させ、前記波長ごとに試料の吸光度を算出する制御部を有する分析システムであって、前記制御部は、前記分光器の測定状態を前記吸光度が所定の閾値を超える場合はダブルモノクロ測定状態へ切り替え、前記吸光度が所定の閾値以下である場合はシングルモノクロ測定状態へ切り替える。
【００１４】
また、他の実施の形態では、分光器から出射される単色光の波長を測定開始波長から測定終了波長まで所定長ずつ変化させ、前記波長ごとに試料の吸光度を算出する分析方法であって、制御部が、前記分光器の測定状態を前記吸光度が所定の閾値を超える場合はダブルモノクロ測定状態へ切り替え、前記吸光度が所定の閾値以下である場合はシングルモノクロ測定状態へ切り替える。
【発明の効果】
【００１５】
本願において開示される発明のうち、代表的なものによって得られる効果を簡単に説明すれば以下のとおりである。
【００１６】
本発明の代表的な実施の形態によれば、測定される単色光の波長特性に応じて、ダブルモノクロ方式とシングルモノクロ方式とを自動で切り替えできるようになる。
【図面の簡単な説明】
【００１７】
【図１】本発明の一実施の形態における分光光度計の構成例の概要を示す図である。
【図２】本発明の一実施の形態における分析システムの構成例の概要を示す図である。
【図３】（ａ）および（ｂ）は、本発明の一実施の形態におけるミラー回折格子部の構成例の概要を示す平面図、（ｃ）および（ｄ）は、そのミラー回折格子部の正面図である。
【図４】（ａ）および（ｂ）は、本発明の一実施の形態におけるミラー回折格子部の他の構成例の概要を示す平面図、（ｃ）および（ｄ）は、そのミラー回折格子部の正面図である。
【図５】（ａ）および（ｂ）は、本発明の一実施の形態におけるミラー回折格子部のさらに他の構成例の概要を示す平面図である。
【図６】（ａ）および（ｂ）は、本発明の一実施の形態におけるミラー回折格子部のさらに他の構成例の概要を示す平面図である。
【図７】本発明の一実施の形態における測定処理の概要を示す図である。
【図８】測定状態の切り替えについて説明するための図である。
【図９】本発明の一実施の形態における記憶部が記憶する測定条件データの例を示す図である。
【図１０】本発明の一実施の形態における再測定処理の概要を示す図である。
【図１１】本発明の一実施の形態における測定条件データを修正する処理について説明するための図である。
【図１２】本発明の一実施の形態における入力条件データ測定処理の概要を示す図である。
【発明を実施するための形態】
【００１８】
以下、本発明の実施の形態を図面に基づいて詳細に説明する。なお、実施の形態を説明するための全図において、同一部には原則として同一の符号を付し、その繰り返しの説明は省略する。
【００１９】
＜全体構成＞
図１は、本発明の一実施の形態における分光光度計１０の構成例の概要を示す図である。図１に示されるように分光光度計１０は、光源１００と、分光器２００と、検出器３００と、制御部４００と、記憶部５００と、表示部６００とを有する。
【００２０】
光源１００（例えば、重水素ランプやハロゲンランプ）は、分光器２００へ白色光２１を照射する。
【００２１】
分光器２００は、入射した白色光２１を特定の波長の単色光２２へ分光する。分光器２００により分光された単色光２２は、試料３０へと照射される。その後、試料３０を透過する透過光２３は、検出器３００（例えば、光半導体や光電子増倍管）にて検出される。検出器３００は、検出した透過光２３を電気信号に変換し、変換した電気信号を制御部４００に入力する。
【００２２】
制御部４００は、検出部３００から入力された電気信号とベースライン補正値とに基づき、試料３０の吸光度と透過率とを算出する。
【００２３】
また、制御部４００は、分光器２００を制御することで、分光器２００にて分光される単色光２２の波長を変化させる。これにより、試料３０へ照射される単色光２２の波長が変化し、試料３０に吸収あるいは反射される光の波長をユーザーは把握できるようになる。例えば、吸収の場合は、横軸を波長、縦軸を光強度とした吸収スペクトルを作成して表示部６００に表示することで、ユーザーは試料３０の成分を把握できる。
【００２４】
記憶部５００は、測定した波長とこの波長を測定した時の測定状態（ダブルモノクロ測定状態またはシングルモノクロ測定状態のいずれか）とを対応付けた測定条件データ（後述、図９）を記憶する。
【００２５】
＜分光器構成＞
図２は、本発明の一実施の形態における分析システム２０の構成例の概要を示す図である。図２に示されるように分析システム２０は、分光器２００と制御部４００とを有する。分光器２００は、図１に示した分光光度計１０の分光器２００に対応する。また、制御部４００は、図１に示した分光光度計１０の制御部４００に対応する。分光器２００は、入口スリット２０１と、第１ミラー２０２と、第２ミラー２０３と、ミラー回折格子部２０４と、入射スリット２０５と、第３ミラー２０６と、回折格子２０７と、第４ミラー２０８と、出射スリット２０９と、第５ミラー２１０とを有する。
【００２６】
第１ミラー２０２と、第２ミラー２０３と、第３ミラー２０６と、第４ミラー２０８と、第５ミラー２１０とは、照射された光（白色光２１または単色光２２）を反射する。
【００２７】
回折格子２０７は、照射された光を分光する。
【００２８】
入射スリット２０５および出射スリット２０９は、通過する光の波長を選択する。制御部４００は入射スリット２０５と出射スリット２０９とを制御することで、入射スリット２０５と出射スリット２０９を通過する波長を変更する。入射光が入射する方向を縦方向とした場合、入射スリット２０５および出射スリット２０９は、入射光に対して横方向に移動されることで、通過する波長を変更する。
【００２９】
以下、図３を用いてミラー回折格子部２０４の構成を詳細に説明する。
【００３０】
図３（ａ）〜図３（ｄ）は、本発明の一実施の形態におけるミラー回折格子部２０４の構成例の概要を示す図である。図３（ａ）および図３（ｂ）は、ミラー回折格子部２０４の平面図であり、図３（ｃ）および図３（ｄ）は、ミラー回折格子部２０４の正面図である。
【００３１】
図３に示されるようにミラー回折格子部２０４は、モーターを収納する固定台２１３と、回転台２１２と、固定台２１３と回転台２１２とを連結する回転軸２１４と、回転台２１２上に固定されるミラー回折格子２１１とを有する。
【００３２】
ミラー回折格子２１１は、照射された白色光２１を単色光２２へ分光する分光面と、照射された白色光２１を反射する反射面とを有する。ミラー回折格子２１１は、分光面が白色光２１の入射方向に向けられる分光位置または反射面が白色光２１の入射方向に向けられる反射位置のいずれかの位置にある。そして、図３（ａ）と図３（ｃ）とに示されるようにミラー回折格子２１１が分光位置にある場合には、分光面に光が照射される。また、図３（ｂ）と図３（ｄ）とに示されるようにミラー回折格子２１１が反射位置にある場合には、反射面へ光が照射される。
【００３３】
制御部は、固定台２１３に収納されたモーターを制御する。制御部がモーターを駆動させると、モーターから回転台２１２へ回転軸２１４を介して回転駆動力が伝達される。そして、回転台２１２およびミラー回折格子２１１は、回転軸２１４を中心に一体回転される。回転軸２１４の回転に伴いミラー回折格子２１１は、分光位置から反射位置へまたは反射位置から分光位置へ切り替えられる。
【００３４】
制御部は、モーターを制御しミラー回折格子２１１を分光位置から反射位置へ切り替えることで、回折格子２０７だけで分光された単色光２２が測定されるシングルモノクロ測定状態へ切り替える。また、制御部は、モーターを制御しミラー回折格子２１１を反射位置から分光位置へ切り替えることで、ミラー回折格子２１１と回折格子２０７とで２回分光された単色光２２が測定されるダブルモノクロ測定状態へ切り替える。
【００３５】
再び図２を参照する。以下、分光器２００へ白色光２１が入射してから分光器２００から単色光２２が出射されるまでの動作を説明する。
【００３６】
まず、入口スリット２０１を通過して分光器２００へ入射した白色光２１は、第１ミラー２０２に照射され、その後、第１ミラー２０２により反射される。第１ミラー２０２により反射された白色光２１は、第２ミラー２０３に照射され、その後、第２ミラー２０３により反射され、ミラー回折格子２１１へ照射される。
【００３７】
ここで、ミラー回折格子２１１が反射位置にある場合、ミラー回折格子２１１へ照射された白色光２１は、分光されずに反射される。そして、反射された白色光２１は、第２ミラー２０３へ照射される。その後、第２ミラー２０３に照射された白色光２１は、反射される。第２ミラー２０３によって反射された白色光２１は、入射スリット２０５に照射される。入射スリット２０５に照射された白色光２１は、その後、第３ミラー２０６へ照射される。
【００３８】
一方、ミラー回折格子２１１が分光位置にある場合、ミラー回折格子２１１へ照射された白色光２１は、複数の単色光２２へ分光され、その後、第２ミラー２０３へ照射される。そして第２ミラー２０３に照射された各単色光２２は、反射される。第２ミラー２０３によって反射されることで集光された各単色光２２は、入射スリット２０５に照射される。入射スリット２０５に照射された各単色光２２のうち、所定波長の単色光２２は入射スリット２０５を通過し、第３ミラー２０６へ照射される。
【００３９】
次に、第３ミラー２０６に照射された光（白色光２１または単色光２２）は、反射される。第３ミラー２０６により反射された光は、回折格子２０７へ照射される。回折格子２０７へ照射された光は、分光された後、第４ミラー２０８へ照射される。
【００４０】
次に、第４ミラー２０８へ照射された各単色光２２は、第４ミラー２０８によって反射されることで集光され、反射された各単色光２２が出射スリット２０９に照射される。出射スリット２０９に照射された各単色光２２のうち、所定波長の単色光２２は出射スリット２０９を通過し、第５ミラー２１０へ照射される。第５ミラー２１０へ照射された単色光２２は、反射されることで分光器２００から出射される。
【００４１】
なお、分光器２００は、２つのリトローモノクロメーターから構成されるようにしても良い。また、２つのツェルニ・ターナモノクロメーターから構成されるようにしても良い。さらに、最初に光が照射されるモノクロメーターとしてツェルニ・ターナモノクロメーターを設け、次に光が照射されるモノクロメーターとしてリトローモノクロメーターを設けるようにしても良い。
【００４２】
また、図４（ａ）〜図４（ｄ）に示されるように、ミラー回折格子２１１に替えて回折格子４０１とミラー４０２とを回転台４０３上に固定しても良い。
【００４３】
また、図５（ａ）と図５（ｂ）とに示されるように、ミラー回折格子２１１に替えて分光に使用しない面にミラーを備えたプリズム５０１を回転台５０２上に固定しても良い。
【００４４】
また、図６（ａ）と図６（ｂ）とに示されるように、ミラー回折格子２１１に替えてプリズム６０１とミラー６０２とを回転台６０３上に固定しても良い。
【００４５】
また、モーターを固定台２１３に収納することに替えてモーターと減速機構とが一体となったギアードモーターを固定台２１３に収納しても良い。
【００４６】
＜測定処理＞
図７は、本発明の一実施の形態における測定処理の概要を示す図である。
【００４７】
まず、Ｓ７０１にて、制御部４００は、予め設定されている測定する範囲（以下、測定範囲という）を取得する。測定範囲は、測定を開始する波長（以下、測定開始波長という）から測定を終了する波長（以下、測定終了波長という）までの範囲が該当する。なお、測定範囲は、図示しない入力部がユーザーから入力を受け付けることで設定される。
【００４８】
次に、Ｓ７０２にて、制御部４００は、測定状態をダブルモノクロ測定状態へ切り替え、ダブルモノクロ測定状態にて試料３０の入っていない溶媒のみのベースラインをＳ７０１にて取得した測定範囲全域について測定することでベースライン補正値を取得する。また、制御部４００は、測定状態をシングルモノクロ測定状態へ切り替え、シングルモノクロ測定状態にてベースラインをＳ７０１にて取得した測定範囲全域について測定することでベースライン補正値を取得する。そして、制御部４００は取得したダブルモノクロ測定状態でのベースライン補正値とシングルモノクロ測定状態でのベースライン補正値とを記憶部５００に記憶する。なお、シングルモノクロ測定状態にてベースライン補正値を取得した後に、ダブルモノクロ測定状態にてベースライン補正値を取得するようにしても良い。
【００４９】
次に、Ｓ７０３にて、制御部４００は、波長が測定開始波長である単色光２２が分光器２００から出射されるように分光器２００のミラー回折格子部２０４および回折格子２０７を制御する。
【００５０】
次に、Ｓ７０４にて、制御部４００は、ダブルモノクロ測定状態になるように分光器２００を制御する。なお、Ｓ７０４にて、ダブルモノクロ測定状態とシングルモノクロ測定状態とのいずれかを選択する入力をユーザーから受け付けるようにしても良い。この場合、制御部４００は、選択された測定状態になるように、分光器２００を制御する。
【００５１】
次に、Ｓ７０５にて、制御部４００は、分光器２００へ白色光２１を照射するように光源１００を制御する。これにより、光源１００からの白色光２１が、分光器２００へ入射する。なお、測定が終了するまで光源１００から分光器２００へ白色光２１が照射される状態は継続する。
【００５２】
次に、Ｓ７０６にて、検出部３００は、分光器２００から出射され、試料３０を通過した透過光２３を検出する。そして、検出部３００は、検出した透過光２３を電気信号に変換し、変換した電気信号を制御部４００に入力する。
【００５３】
次に、Ｓ７０７にて、制御部４００は、検出部３００から入力された電気信号とベースライン補正値とに基づき、試料３０の吸光度と透過率とを算出する。
【００５４】
次に、Ｓ７０８にて、制御部４００は、Ｓ７０７にて算出した吸光度が所定の閾値以下であるかを判定する。制御部４００が、吸光度が所定の閾値以下であると判定する場合（Ｓ７０８−Ｙｅｓ）、Ｓ７１１へ進む。一方、制御部４００が、吸光度が所定の閾値を超えると判定する場合（Ｓ７０８−Ｎｏ）、Ｓ７０９へ進む。なお、この閾値は、ユーザーから入力を受け付けた入力値へ変更するようにしても良い。以下、図８を用いて、閾値と吸光度とに基づいて、測定状態が切り替わる態様について説明する。
【００５５】
図８は、縦軸を吸光度、横軸を波長とするグラフである。図８に示されるように、吸光度が所定の閾値以下である波長範囲については、シングルモノクロ測定状態にて測定がされ、吸光度が所定の閾値を超える波長範囲については、ダブルモノクロ測定状態にて測定がされる。また、吸光度が所定の閾値を超えた場合には、シングルモノクロ測定状態からダブルモノクロ測定状態へ切り替えられる。また、吸光度が所定の閾値以下になった場合には、ダブルモノクロ測定状態からシングルモノクロ測定状態へ切り替えられる。
【００５６】
再び図７を参照する。Ｓ７０９にて、制御部４００は、現在の測定状態が、ダブルモノクロ測定状態であるか否かを判定する。Ｓ７０９にて、制御部４００が、現在の測定状態がダブルモノクロ測定状態と判定する場合（Ｓ７０９−Ｙｅｓ）、測定した波長（Ｓ７０３またはＳ７１４にて選択された波長）とＳ７０７にて算出した試料３０の吸光度と透過率とを表示部６００に表示し、Ｓ７１３へ進む。このように、ダブルモノクロ測定状態にて測定された吸光度が所定の閾値を超える場合に、測定された波長と吸光度と測定された波長に対応する透過率とを表示部６００に表示することで、適切な測定状態で測定された吸光度と透過率とをユーザーに示せるようになる。さらに、制御部４００は、測定した波長と、この波長を測定した時の測定状態（この場合は、ダブルモノクロ測定状態）とを対応付けた測定条件データ（後述、図９）を記憶部５００に記憶する。
【００５７】
一方、Ｓ７０９にて、制御部４００が現在の測定状態がダブルモノクロ測定状態ではないと判定する場合（Ｓ７０９−Ｎｏ）、Ｓ７１０へ進む。
【００５８】
次に、Ｓ７１０にて、制御部４００は、分光器２００を制御し、測定状態をシングルモノクロ測定状態からダブルモノクロ測定状態へ切り替える。
【００５９】
Ｓ７１１にて、制御部４００は、現在の測定状態がシングルモノクロ測定状態か否かを判定する。Ｓ７１１にて制御部４００が、現在の測定状態がシングルモノクロ測定状態であると判定する場合（Ｓ７１１−Ｙｅｓ）、測定した波長（この波長は、Ｓ７０３またはＳ７１４にて選択される）とＳ７０７にて算出した試料３０の吸光度と透過率とを表示部６００に表示し、Ｓ７１３へ進む。このように、シングルモノクロ測定状態にて測定された吸光度が所定の閾値以下である場合に、測定された波長と測定された波長に対応する吸光度と透過率とを表示部６００に表示することで、適切な測定状態で測定された吸光度と透過率とをユーザーに示せるようになる。さらに、制御部４００は、測定した波長とこの波長を測定した時の測定状態（この場合は、シングルモノクロ測定状態）とを対応付けた測定条件データ（後述、図９）を記憶部５００に記憶する。
【００６０】
一方、Ｓ７１１にて制御部４００が現在の測定状態がシングルモノクロ測定状態でないと判定する場合（Ｓ７１１−Ｎｏ）、Ｓ７１２へ進む。
【００６１】
次に、Ｓ７１２にて、制御部４００は、分光器２００を制御し、測定状態をダブルモノクロ測定状態からシングルモノクロ測定状態へ切り替える。また、制御部４００は、測定した波長（Ｓ７０３またはＳ７１４にて選択された波長）と、切り替え後の測定状態（この場合は、シングルモノクロ測定状態）とを対応付けて記憶部５００が記憶する測定条件データ（後述、図９）に記憶する。以下、図９を用いて測定条件データについて説明する。
【００６２】
図９は、本発明の一実施の形態における記憶部５００が記憶する測定条件データの例を示す図である。図９に示されるように、測定条件データは、波長とこの波長を測定した時の測定状態（または切り替え後の測定状態）とからなる。
【００６３】
再び図７を参照する。次に、Ｓ７１３にて、制御部４００は、測定を終了する波長まで測定をしたかを判定する。Ｓ７１３にて、制御部４００が測定を終了する波長まで測定をしたと判定する場合（Ｓ７１３−Ｙｅｓ）、測定処理を終了する。一方、Ｓ７１３にて制御部４００が測定を終了する波長まで測定をしていないと判定する場合（Ｓ７１３−Ｎｏ）、Ｓ７１４へ進む。
【００６４】
次に、Ｓ７１４にて制御部４００は、前回測定をした波長から所定長だけ波長を長くした波長を測定する波長として選択する。そして、制御部４００は、選択した波長の単色光２２が分光器２００から出射されるように分光器２００の入射スリット２０５および出射スリット２０９を制御し、Ｓ７０６へ進む。また、Ｓ７１４にて制御部４００は、前回測定をした波長から所定長だけ波長を短くした波長を測定する波長として選択しても良い。
【００６５】
なお、Ｓ７１０にて測定状態をシングルモノクロ測定状態からダブルモノクロ測定状態へ切り替えた場合またはＳ７１２にて測定状態をダブルモノクロ測定状態からシングルモノクロ測定状態へ切り替えた場合には、Ｓ７１４にて前回測定した波長を再度選択するようにしても良い。これによって、前回測定した波長の単色光２２が再度分光器２００から出射され、切り替え後の測定状態にて試料３０の吸光度と透過率とを算出し直すことができるようになる。
【００６６】
また、Ｓ７０８にて、制御部４００は、透過率が所定の閾値を超えるかを判定するようにしても良い。この場合、制御部４００は、測定される透過率が所定の閾値以下の場合には、ダブルモノクロ測定状態にて測定されるように分光器２００を制御する。また、制御部４００は、透過率が所定の閾値を超える場合には、シングルモノクロ測定状態にて測定されるように分光器２００を制御する。これにより、透過率が低い波長に対してはダブルモノクロ測定状態で測定し、透過率が高い波長に対してはシングルモノクロ測定状態にて測定できるようになる。
【００６７】
また、Ｓ７０８にて、制御部４００は、迷光試料を測定することで得られる迷光値を記憶部５００に記憶し、記憶された迷光値が所定の閾値を超えるかを判定するようにしても良い。この場合、制御部４００は、記憶された迷光値が所定の閾値を超える場合には、ダブルモノクロ測定状態にて測定されるように分光器２００を制御する。また、制御部４００は、迷光値が所定の閾値以下の場合には、シングルモノクロ測定状態にて測定されるように分光器２００を制御する。これにより、迷光値が高い波長に対しては迷光値を下げるためダブルモノクロ測定状態で測定し、迷光値が低い波長に対してはシングルモノクロ測定状態にて測定できるようになる。
【００６８】
また、Ｓ７０８にて、制御部４００は、Ｓ７０１にて設定された測定する範囲を、分光器２００を制御し、ダブルモノクロ測定状態で全範囲の吸光度を取得し、記憶部５００に記憶し、分光器２００を制御し、シングルモノクロ測定状態で全範囲の吸光度を取得し、記憶部５００に記憶する。記憶部５００に記憶されたダブルモノクロ測定状態で取得された吸光度とシングルモノクロ測定状態で取得された吸光度に差がある波長では、ダブルモノクロ測定状態で測定を行うように分光器２００を制御し、記憶部５００に記憶されたダブルモノクロ測定状態で取得された吸光度とシングルモノクロ測定状態で取得された吸光度に差がない波長では、シングルモノクロ測定状態で測定を行なうように分光器２００を制御する。
【００６９】
また、吸光度の差の範囲は、記憶部に記憶された範囲以上の差がある場合にダブルモノクロ測定状態とする。
【００７０】
上記、吸光度の差の範囲は、ユーザーが入力変更しても良い。
【００７１】
また、上記は波長走査測定について記載したが、波長を固定して測定を行う時間変化測定や定量演算測定などの測定について以下に記載する。
【００７２】
波長を固定して測定を行う時間変化測定や定量演算測定を行う場合、吸光度を取得する測定を行う前に、制御部４００は、分光器２００を制御し、ダブルモノクロ測定状態とシングルモノクロ測定状態で吸光度または透過率の測定を行う。迷光が測定結果に影響を与えている場合は、ダブルモノクロ測定とシングルモノクロ測定で吸光度に差が出るため、吸光度に取得された吸光度に差がある場合は、分光器２００を制御し、ダブルモノクロ測定状態に設定し測定を行い、取得された吸光度に差が無い場合は分光器２００を制御し、シングルモノクロ測定状態に設定し測定を行う。
【００７３】
また、吸光度の差の範囲は、記憶部に記憶された範囲以上の差がある場合にダブルモノクロ測定状態とする。
【００７４】
上記、吸光度の差の範囲は、ユーザーが入力変更しても良い。
【００７５】
また、上記測定は、制御部４００は、透過率に差が出るかを判定するようにしても良い。
【００７６】
＜再測定処理＞
図１０は、本発明の一実施の形態における再測定処理の概要を示す図である。再測定処理では、測定処理にて記憶された測定条件データに基づいて再測定を行う。
【００７７】
まず、Ｓ１００１にて、制御部４００は、測定条件データの読み出し指示する入力を図示しない入力部が受け付けないかを判定する。Ｓ１００１にて、測定条件データの読み出しを指示する入力を受け付けないと制御部４００が判定する場合（Ｓ１００１−Ｙｅｓ）、再測定処理を終了する。一方、Ｓ１００１にて、測定条件データの読み出しを指示する入力を受け付けたと制御部４００が判定する場合（Ｓ１００１−Ｎｏ）、Ｓ１００２へ進む。
【００７８】
次に、Ｓ１００２にて、入力部は、測定開始波長と測定終了波長とから定まる測定範囲の入力を受け付ける。そして、制御部４００は、入力を受け付けた測定範囲と一致する測定条件データを記憶部５００から読み出す。
【００７９】
次に、Ｓ１００３にて、読み出した測定条件データの編集を指示する入力を入力部が受け付けないかを、制御部４００は、判定する。Ｓ１００３にて、測定条件データの編集を指示する入力を受け付けないと制御部４００が判定する場合（Ｓ１００３−Ｙｅｓ）、Ｓ１００５へ進む。一方、Ｓ１００３にて、測定条件データの編集を指示する入力を受け付けたと制御部４００が判定する場合（Ｓ１００３−Ｎｏ）Ｓ１００４へ進む。
【００８０】
次に、Ｓ１００４にて、入力部が、ユーザーから入力を受け付けることで測定条件データは編集される。例えば、波長に対応する測定状態を変更する入力を受け付け、シングルモノクロ測定状態からダブルモノクロ測定状態へ切り替わる境目となる波長が変更または、ダブルモノクロ測定状態からシングルモノクロ測定状態へ切り替えわる境目となる波長が変更されるまで、測定条件データは編集される。
【００８１】
次に、Ｓ１００５にて、入力部がダブルモノクロ測定状態継続波長範囲（後述、図１１）の入力を受け付けないかを判定する。Ｓ１００５にて、入力部がダブルモノクロ測定状態継続波長範囲の入力を受け付けないと判定する場合（Ｓ１００５−Ｙｅｓ）、Ｓ１００７へ進む。一方、入力部がダブルモノクロ測定状態継続波長範囲の入力を受け付けたと判定する場合（Ｓ１００５−Ｎｏ）、Ｓ１００６へ進む。
【００８２】
次に、Ｓ１００６にて、制御部４００は、Ｓ１００２にて読み出した測定条件データをＳ１００５にて入力を受け付けたダブルモノクロ測定状態継続波長範囲に基づき修正する。
【００８３】
以下、図１１を用いて測定条件データを修正する処理について説明する。図１１に示されるように、吸光度が閾値以下となった波長１１０１から、吸光度が次に閾値を超える波長１１０２までの間隔１１０３が、Ｓ１００５にて入力されたダブルモノクロ測定状態継続波長範囲１１０４内である場合、制御部４００は、波長１１０１にてダブルモノクロ測定状態からシングルモノクロ測定状態への切り替えが行われないように測定条件データを修正する。具体的には、制御部４００は、間隔１１０３の波長範囲に対応する測定状態をシングルモノクロ測定状態からダブルモノクロ測定状態へ修正する。これにより、確実に測定結果を得つつ測定にて測定状態が切り替わる回数を減らせるようになる。
【００８４】
再び図１０を参照する。次に、Ｓ１００７にて、制御部４００は、測定状態をダブルモノクロ測定状態へ切り替え、測定条件データに基づき、ダブルモノクロ測定状態となっている波長についてはダブルモノクロ測定状態にて測定することでベースライン補正値を取得する。また、制御部４００は、測定状態をシングルモノクロ測定状態へ切り替え、測定条件データに基づき、シングルモノクロ測定状態となっている波長についてはシングルモノクロ測定状態にて測定することでベースライン補正値を取得する。そして、制御部４００は取得したダブルモノクロ測定状態でのベースライン補正値とシングルモノクロ測定状態でのベースライン補正値とを記憶部５００に記憶する。
【００８５】
次に、Ｓ１００８にて、制御部４００は、測定条件データ（Ｓ１００２にて読み出された測定条件データ、または、Ｓ１００４にて編集された後の測定条件データ、または、Ｓ１００６にて修正された後の測定条件データ）に含まれる波長ごとの測定条件にて測定範囲全域について、吸光度と透過率とを算出する。
【００８６】
＜入力条件データ測定処理＞
図１２は、本発明の一実施の形態における入力条件データ測定処理の概要を示す図である。入力条件データ測定処理では、測定条件データの入力をユーザーから受け付ける。そして、ユーザーから入力された測定条件データに基づいて測定を行う。
【００８７】
まず、Ｓ１２０１にて、入力部は、ユーザーから測定条件データの入力を受け付ける。ユーザーは、波長ごとの測定条件を入力することで測定条件データを入力する。
【００８８】
次に、Ｓ１２０２にて、制御部４００は、測定状態をダブルモノクロ測定状態へ切り替え、Ｓ１２０１にて入力された測定条件データに基づき、ダブルモノクロ測定状態となっている波長についてはダブルモノクロ測定状態にて測定することでベースライン補正値を取得する。また、制御部４００は、測定状態をシングルモノクロ測定状態へ切り替え、Ｓ１２０１にて入力された測定条件データに基づき、シングルモノクロ測定状態となっている波長についてはシングルモノクロ測定状態にて測定することでベースライン補正値を取得する。そして、制御部４００は取得したダブルモノクロ測定状態でのベースライン補正値とシングルモノクロ測定状態でのベースライン補正値とを記憶部５００に記憶する。
【００８９】
次に、Ｓ１２０３にて、制御部４００は、Ｓ１２０１にて入力された測定条件データに含まれる波長ごとの測定条件にて、測定範囲全域について、吸光度と透過率とを算出する。
【００９０】
＜本実施の形態の効果＞
以上説明した本実施の形態における分光光度計１０によれば、分光器２００の測定状態を吸光度が所定の閾値を超える場合はダブルモノクロ測定状態へ切り替え、吸光度が所定の閾値以下である場合はシングルモノクロ測定状態へ切り替えることで、測定される単色光２２の波長特性に応じて、ダブルモノクロ方式とシングルモノクロ方式とを自動で切り替え可能になる。
【００９１】
また、ダブルモノクロ測定状態にて測定された吸光度が閾値を超える場合、または、シングルモノクロ測定状態にて測定された吸光度が閾値以下である場合に測定された波長と波長に対応する吸光度とを表示することで、適切な測定状態で測定された吸光度と透過率とをユーザーに示せるようになる。
【００９２】
また、測定状態を切り替えた場合、測定した波長と切り替え後の測定状態とを対応付けて記憶部５００に記憶することで、記憶部５００に記憶された測定条件に基づき再測定する場合に、切り替える境目となる波長についても適切な測定状態で測定できるようになる。
【００９３】
また、測定状態を切り替えた場合、切り替え後の測定状態にて前回測定した波長の吸光度を再度算出することで、前回測定した波長の単色光２２が再度分光器２００から出射され、切り替え後の測定状態にて試料３０の吸光度と透過率とを算出し直すことができるようになる。
【００９４】
また、記憶部５００に記憶された波長と波長を測定した時の測定状態とを読み出し、読み出した波長ごとの測定状態に基づき、吸光度を算出することで、既知の試料３０を測定する測定時間を短縮できるようになる。
【００９５】
また、吸光度が閾値以下となった波長から吸光度が次に閾値を超える波長までの間隔が、ダブルモノクロ測定状態継続波長範囲内である場合、ダブルモノクロ測定状態からシングルモノクロ測定状態への切り替えが行われないように、読み出した測定状態を修正することで、確実に測定結果を得つつ測定にて測定状態が切り替わる回数を減らせるようになる。
【００９６】
以上、本発明者によってなされた発明を実施の形態に基づき具体的に説明したが、本発明は前記実施の形態に限定されるものではなく、その要旨を逸脱しない範囲で種々変更可能であることはいうまでもない。
【符号の説明】
【００９７】
１０…分光光度計、２１…白色光、２２…単色光、２３…透過光、３０…試料、１００…光源、２００…分光器、２０１…入口スリット、２０２…第１ミラー、２０３…第２ミラー、２０４…ミラー回折格子部、２０５…入射スリット、２０６…第３ミラー、２０７…回折格子、２０８…第４ミラー、２０９…出射スリット、２１０…第５ミラー、２１１…ミラー回折格子、２１２，４０３，５０２，６０３…回転台、２１３…固定台、２１４…回転軸、３００…検出器、４００…制御部、４０１…回折格子、４０２，６０２…ミラー、５００…記憶部、５０１，６０１…プリズム、６００…表示部、１１０１，１１０２…波長，１１０３…間隔、１１０４…ダブルモノクロ測定状態継続波長範囲
【図１】
2015099127.tif 000003
【図２】
2015099127.tif 000004
【図３】
2015099127.tif 000005
【図４】
2015099127.tif 000006
【図５】
2015099127.tif 000007
【図６】
2015099127.tif 000008
【図７】
2015099127.tif 000009
【図８】
2015099127.tif 000010
【図９】
2015099127.tif 000011
【図１０】
2015099127.tif 000012
【図１１】
2015099127.tif 000013
【図１２】
2015099127.tif 000014